(57)【要約】      （修正有）【課題】ワイヤレス調光操作器がどのスタジオまたは劇場に持ち込まれているかを判定して、複数の調光操作卓における操作機能を保持して、簡便かつ迅速にして適正な調光制御操作を行うことができるワイヤレス調光操作器および調光システムを提供する。【解決手段】調光操作卓１０に対して、それぞれ無線ＬＡＮシステムにより調光操作プログラムまたは調光仕込みデータの少なくとも１種を送信または受信する機能を有すると共に、前記調光操作卓に対応する調光操作プログラムをそれぞれ記憶する記憶装置２１と、スタジオまたは劇場毎に設けられそれぞれ重複しない周波数チャンネルが割り当てられた無線ＬＡＮアクセスポイント３０とアクセスする無線通信部２４とを備え、通信プログラムの起動により、当該スタジオまたは劇場に設けられた調光操作卓１０の調光操作プログラムと相互に一致する前記記憶装置２１に記憶された調光操作プログラムを実行可能に構成する。【選択図】  図２
2004206993.tif 000002
【特許請求の範囲】
【請求項１】
スタジオまたは劇場毎に設けられた調光操作卓に対して、それぞれ無線ＬＡＮシステムにより調光操作プログラムまたは調光仕込みデータの少なくとも１種を送信または受信する機能を有すると共に、前記調光操作卓に対応する調光操作プログラムをそれぞれ記憶する記憶装置と、
スタジオまたは劇場毎に設けられそれぞれ重複しない周波数チャンネルが割り当てられた無線ＬＡＮアクセスポイントとアクセスする無線通信部とを備え、
通信プログラムの起動により、スタジオまたは劇場において前記無線ＬＡＮアクセスポイントの最も強い電波強度の周波数チャンネルを判定して、当該スタジオまたは劇場に設けられた調光操作卓の調光操作プログラムと相互に一致する前記記憶装置に記憶された調光操作プログラムを実行可能に構成されていることを特徴とするワイヤレス調光操作器。
【請求項２】
スタジオまたは劇場毎に設けられた調光操作卓に対して、それぞれ無線ＬＡＮシステムにより調光操作プログラムまたは調光仕込みデータの少なくとも１種を送信または受信する機能を有すると共に、前記調光操作卓に対応する調光操作プログラムをそれぞれ記憶する書き換え可能な記憶装置と、
スタジオまたは劇場毎に設けられそれぞれ重複しない周波数チャンネルが割り当てられた無線ＬＡＮアクセスポイントとアクセスする無線通信部とを備え、
通信プログラムの起動により、スタジオまたは劇場において前記無線ＬＡＮアクセスポイントの最も強い電波強度の周波数チャンネルを判定して、当該スタジオまたは劇場に設けられた調光操作卓の調光操作プログラムと相互に一致しない場合に、調光操作卓内にインストールされている調光操作プログラムを前記記憶装置にダウンロードし、または記憶装置に記憶されている調光操作プログラムを調光操作卓にダウンロードして、当該調光操作プログラムを実行可能に構成されていることを特徴とするワイヤレス調光操作器。
【請求項３】
請求項１または２記載のワイヤレス調光操作器において、
スタジオまたは劇場毎に設けられた調光操作卓に対して、それぞれ重複しない特定ＩＤコードを割り当て、
前記調光操作卓には、調光操作プログラムと共に各照明器具に対する調光制御データを前記ワイヤレス調光操作器と送信または受信するための通信プログラムを組み込み、
前記ワイヤレス調光操作器は、選択された調光操作卓と相互に特定ＩＤコードが一致している場合に、前記調光制御データを受信して記憶装置に記憶し、または調光制御データを調光操作卓に受信するよう構成したことを特徴とするワイヤレス調光操作器。
【請求項４】
スタジオまたは劇場毎に設けられた調光操作卓に対して、それぞれ重複しないＩＤコードを割り当て、
ワイヤレス調光操作器から送信する全てのデータに、選択した調光操作卓のＩＤコードを付加するように設定すると共に、
調光操作卓から送信するデータも割り当てられたＩＤコードを付加するよう設定し、
前記ワイヤレス調光操作器および調光操作卓は、それぞれ割り当てられているＩＤコードと相手側から送信されたデータに付加されたＩＤコードとを比較して、相互にＩＤコードが一致している場合に、それぞれデータを送信または受信するように構成したことを特徴とするワイヤレス調光操作器。
【請求項５】
請求項１ないし４のいずれかに記載のワイヤレス調光操作器と、
ワイヤレス調光操作器と無線ＬＡＮを介して通信可能に構成され、複数の照明器具の点灯制御を行う調光操作卓と、
調光操作卓により点灯制御される複数の照明器具と、
を備えていることを特徴とする調光システム。
【発明の詳細な説明】
【０００１】
【発明の属する技術分野】
本発明は、スタジオや劇場等の照明を予め設定した調光操作プログラムにより調光制御する調光操作卓に対して、無線ＬＡＮシステムを介してアクセスし、調光操作卓の遠隔操作を可能としたワイヤレス調光操作器およびこの調光操作器を使用する調光システムに関するものである。
【０００２】
【従来の技術】
一般に、スタジオや劇場等における照明に際しては、照明の明るさを制御する調光操作卓を使用することによって、使用目的（シーン）に応じた最適な明るさが得られるように設定されている。すなわち、前記調光操作卓は、様々なシーンに応じた明るさを得るために複数の機能を有しており、これらの複数の機能が効果的に活用されることによって、それぞれのシーンに応じた演出を、より効果的に発揮し得るように、明るさの制御内容がそれぞれプログラム化されて、調光操作プログラムとして設定されている。
【０００３】
前述したスタジオや劇場の照明を調光制御するための調光操作卓は、それぞれスタジオまたは劇場毎に設けられ、これらの調光操作卓に対応して、それぞれ無線ＬＡＮシステムを介してアクセス可能な専用のワイヤレス調光操作器が、１台もしくはそれ以上設けられている。すなわち、従来のワイヤレス調光操作器は、特定のスタジオまたは劇場用として製作されており、他のスタジオや劇場に持ち込んでも使用することができないように構成されている。従って、ワイヤレス調光操作器のオペレータは、複数のスタジオまたは劇場間を移動して、ワイヤレス調光操作器による操作を行う場合には、所定のスタジオまたは劇場専用のワイヤレス調光操作器に持ち換えて操作する必要がある。
【０００４】
なお、従来の調光操作卓では、操作パネルでの操作と、ワイヤレス操作機を用いた操作を行っており、この場合、ワイヤレス操作機は、調光操作のすべてを行うものではなく、操作パネルでの操作の一部を担うものであることが知られている（特許文献１参照）。
【０００５】
前記特許文献１においては、調光操作卓とワイヤレス操作機との操作方法として、従来の調光操作卓にあっては、操作パネルでの操作とワイヤレス操作機を用いた操作の２通りの操作をするため、最低２人を必要としたが、１人でも舞台やスタジオでの調光操作を行うことを可能としたことが提案されている。
【０００６】
【特許文献１】
特願２００２−１１０３６８号公報（特許請求の範囲の請求項１、発明の詳細な説明の段落番号０００２〜０００５、図１）
【０００７】
【発明が解決しようとする課題】
しかるに、前述した従来のワイヤレス調光操作器を簡便なものとするため、例えば１台のワイヤレス調光操作器に、操作の対象となる全てのスタジオや劇場用の調光操作プログラムをそれぞれインストールする方法が提案される。しかしながら、この場合、容量の大きい記憶装置を組み込む必要がある。また、多数の調光操作プログラムがインストールされていると、使用時に操作を行いたいスタジオまたは劇場用の調光操作プログラムを選択し、切り替える操作が必要となる。そして、この場合、異なるスタジオまたは劇場用の調光操作プログラムを選択して、誤った操作をしてしまう問題がある。
【０００８】
そこで、本発明者等は、鋭意研究並びに検討を重ねた結果、まず、(1) それぞれのスタジオまたは劇場には、ワイヤレス調光操作器が通信を行うための無線ＬＡＮアクセスポイントを設置して、距離によるワイヤレス調光操作器の通信電波断絶を防ぐように構成する。また、(2) 調光操作卓においては、無線ＬＡＮアクセスポイントと通信を行うための有線ＬＡＮ通信アダプタを組み込み、調光制御用アプリケーションプログラムの他に、ワイヤレス調光操作器に調光操作プログラムを送信するための通信プログラムを組み込むと共に、ワイヤレス調光操作器に送信するための調光操作プログラムを少なくとも１つインストールする。さらに、(3) ワイヤレス調光操作器においては、調光操作卓との通信を行うための無線ＬＡＮアダプタと、通信プログラムと、調光操作プログラムを記憶するための記憶装置とを組み込む。
【０００９】
そして、(4) 前記各スタジオまたは劇場に設置された無線ＬＡＮアクセスポイントには、重複しない周波数チャンネルを割り当てると共に、ワイヤレス調光操作器には、前記無線ＬＡＮアクセスポイントにアクセスする無線通信部を設けて、前記各周波数チャンネルの電波強度を測定し、最も強い電波の周波数チャンネルを得た場合に、ワイヤレス調光操作器がどのスタジオまたは劇場に持ち込まれているかを判定して、これにより対応するスタジオまたは劇場に設けられた調光操作卓の調光操作プログラムと、ワイヤレス調光操作器に記憶されている調光操作プログラムとが、相互に一致して操作可能となるように自動的に切り替え設定されるように構成することにより、前述した問題点を全て解消し得るワイヤレス調光操作器を実現することができることを突き止めた。
【００１０】
また、前記各スタジオまたは劇場に設けられた調光操作卓には、調光操作プログラムとして、各種照明器具のレイアウトの他に、各種照明器具に対する調光制御データ（以下、調光仕込みデータと称する）が設定される。そして、これらのデータは、調光操作卓内のデータを対比させる外部記憶装置として、ＦＤ、ＭＯ、フラッシュカード等のリムーバルメディアが使用されている。そこで、前記調光操作卓には、例えばユニークＩＤコード等の特定ＩＤコードを割り当て、ワイヤレス調光操作器と調光仕込みデータを送信または受信するための通信プログラムを組み込むことにより、ワイヤレス調光操作器には、各スタジオまたは劇場に設けられた調光操作卓における調光操作プログラムの他に、調光仕込みデータを記憶しておくことが可能となり、前記調光操作卓の外部記憶装置としての機能を保持することができ、これによって前記調光操作卓の簡素化ないし小型化を達成できることを突き止めた。
【００１１】
さらに、前記各スタジオまたは劇場に設けられた調光操作卓には、それぞれ重複しないＩＤコードを割り当て、ワイヤレス調光操作器から送信する全てのデータに、選択した調光操作卓のＩＤコードを付加するよう設定すると共に、調光操作卓から送信するデータも割り当てられたＩＤコードを付加するよう設定することにより、ワイヤレス調光操作器および調光操作卓においては、それぞれ割り当てられているＩＤコードと相手側から送信されたデータに付加されたＩＤコードとを比較して、一致している場合にのみそれぞれデータを送信または受信するよう構成することによって、目的とするスタジオまたは劇場以外のスタジオまたは劇場の調光操作卓を操作してしまう問題を解消することができることを突き止めた。この場合、ワイヤレス調光操作器を手動操作によって、所望のスタジオまたは劇場の調光操作卓の遠隔操作を行うようにすることもできる利点を有する。
【００１２】
そして、本発明によれば、前述したワイヤレス調光操作器と、このワイヤレス調光操作器と無線ＬＡＮを介して通信可能に構成され、複数の照明器具の点灯制御を行う調光操作卓と、この調光操作卓により点灯制御される複数の照明器具とから、前述した種々の特徴を有する調光システムを構築することができる。
【００１３】
従って、本発明の目的は、ワイヤレス調光操作器がどのスタジオまたは劇場に持ち込まれているかを判定して、これにより対応するスタジオまたは劇場に設けられた調光操作卓と通信可能となる調光操作プログラムに自動的に切り替え設定されると共に、複数の調光操作卓における操作機能を保持して、簡便かつ迅速にして適正な調光制御操作を行うことができるワイヤレス調光操作器およびこの調光操作器を使用する調光システムを提供することにある。
【００１４】
【課題を解決するための手段】
前記目的を達成するため、本発明の請求項１に記載のワイヤレス調光操作器は、スタジオまたは劇場毎に設けられた調光操作卓に対して、それぞれ無線ＬＡＮシステムにより調光操作プログラムまたは調光仕込みデータの少なくとも１種を送信または受信する機能を有すると共に、前記調光操作卓に対応する調光操作プログラムをそれぞれ記憶する記憶装置と、
スタジオまたは劇場毎に設けられそれぞれ重複しない周波数チャンネルが割り当てられた無線ＬＡＮアクセスポイントとアクセスする無線通信部とを備え、
通信プログラムの起動により、スタジオまたは劇場において前記無線ＬＡＮアクセスポイントの最も強い電波強度の周波数チャンネルを判定して、当該スタジオまたは劇場に設けられた調光操作卓の調光操作プログラムと相互に一致する前記記憶装置に記憶された調光操作プログラムを実行可能に構成されていることを特徴とする。
【００１５】
また、本発明の請求項２に記載のワイヤレス調光操作器は、スタジオまたは劇場毎に設けられた調光操作卓に対して、それぞれ無線ＬＡＮシステムにより調光操作プログラムまたは調光仕込みデータの少なくとも１種を送信または受信する機能を有すると共に、前記調光操作卓に対応する調光操作プログラムをそれぞれ記憶する書き換え可能な記憶装置と、
スタジオまたは劇場毎に設けられそれぞれ重複しない周波数チャンネルが割り当てられた無線ＬＡＮアクセスポイントとアクセスする無線通信部とを備え、
通信プログラムの起動により、スタジオまたは劇場において前記無線ＬＡＮアクセスポイントの最も強い電波強度の周波数チャンネルを判定して、当該スタジオまたは劇場に設けられた調光操作卓の調光操作プログラムと相互に一致しない場合に、調光操作卓内にインストールされている調光操作プログラムを前記記憶装置にダウンロードし、または記憶装置に記憶されている調光操作プログラムを調光操作卓にダウンロードして、当該調光操作プログラムを実行するように構成したことを特徴とする。
【００１６】
さらに、本発明の請求項３に記載のワイヤレス調光操作器は、請求項１または２記載のワイヤレス調光操作器において、
スタジオまたは劇場毎に設けられた調光操作卓に対して、それぞれ重複しない特定ＩＤコードを割り当て、
前記調光操作卓には、調光操作プログラムと共に各照明器具に対する調光制御データを前記ワイヤレス調光操作器と送信または受信するための通信プログラムを組み込み、
前記ワイヤレス調光操作器は、選択された調光操作卓と相互に特定ＩＤコードが一致している場合に、前記調光制御データを受信して記憶装置に記憶し、または調光制御データを調光操作卓に送信するよう構成したことを特徴とする。
【００１７】
さらにまた、本発明の請求項４に記載のワイヤレス調光操作器は、スタジオまたは劇場毎に設けられた調光操作卓に対して、それぞれ重複しないＩＤコードを割り当て、
ワイヤレス調光操作器から送信する全てのデータに、選択した調光操作卓のＩＤコードを付加するように設定すると共に、
調光操作卓から送信するデータも割り当てられたＩＤコードを付加するよう設定し、
前記ワイヤレス調光操作器および調光操作卓は、それぞれ割り当てられているＩＤコードと相手側から送信されたデータに付加されたＩＤコードとを比較して、相互にＩＤコードが一致している場合に、それぞれデータを送信または受信するように構成したことを特徴とする。
【００１８】
そして、本発明の請求項５に記載の調光システムは、前記請求項１ないし４のいずれかに記載のワイヤレス調光操作器と、
ワイヤレス調光操作器と無線ＬＡＮを介して通信可能に構成され、複数の照明器具の点灯制御を行う調光操作卓と、
調光操作卓により点灯制御される複数の照明器具と、を備えていることを特徴とする。
【００１９】
【発明の実施の形態】
次に、本発明に係るワイヤレス調光操作器およびこのワイヤレス調光操作器を使用する調光システムの実施例につき、添付図面を参照しながら、以下詳細に説明する。
【００２０】
【実施例１】
図１は、本発明に係るワイヤレス調光操作器を使用する調光操作卓のシステム構成並びに調光システムの一実施例を示す概略構成図であり、図２は、図１における本発明に係るワイヤレス調光操作器のシステム構成を示す概略構成図である。すなわち、図１において、参照符号１０は、所定のスタジオＡに対して設けられた調光操作卓、参照符号２０は、前記スタジオＡにおいて使用するワイヤレス調光操作器、参照符号３０は、前記スタジオＡに設置された無線ＬＡＮアクセスポイント、そして参照符号４０は、調光制御盤をそれぞれ示す。なお、調光制御盤４０は、照明電源４２と調光操作卓１０からの調光制御信号とを入力して、前記スタジオＡに設けられた各照明器具４３ａ、４３ｂ、４３ｃの調光制御を行うように構成されている。
【００２１】
前記調光操作卓１０は、スタジオＡ用の調光操作プログラムを格納する記憶部１２と、予めスタジオ毎に重複しないように割り当てられたＩＤコードを格納する記憶部１３と、これらの記憶部１２、１３と接続されてワイヤレス調光操作器２０との通信を行う通信部１４とを備える。そして、前記通信部１４は、前記調光操作卓１０との関係において、それぞれ重複しない周波数チャンネルが割り当てられた無線ＬＡＮアクセスポイント３０と、所要の有線ＬＡＮ通信アダプタを介して接続され、ワイヤレス調光操作器２０と通信を行うように構成される（図１参照）。
【００２２】
また、前記調光操作卓１０は、前記通信部１４と接続される制御部１５を備え、この制御部１５を介してオペレータによる操作および確認を行うことができる操作／表示装置部１６が設けられると共に、前記制御部１５を介して前記調光制御盤４０に対して調光制御信号が送信されるように構成されている。さらに、前記制御部１５には、調光制御パターンとしての各照明器具に対する調光制御データ（調光仕込みデータ）を格納する記憶部１７が設けられ、さらにこの記憶部１７に対してＦＤ、ＭＤ等の外部記憶装置１８が接続配置されている（図１参照）。
【００２３】
これに対し、前記ワイヤレス調光操作器２０は、図２に示すように、それぞれスタジオ用の調光操作プログラムを格納する記憶部２２と、それぞれスタジオ毎に重複しないように割り当てられたＩＤコードを格納する記憶部２３とからなる記憶装置２１を備える。そして、この記憶装置２１は、調光操作卓１０との通信を行うための無線通信部２４と、調光操作卓１０に記憶保持されている調光操作プログラムをダウンロードするためのダウンロード判定／実行部２５と相互に接続されている。また、前記記憶装置２１は、オペレータによる操作および確認を行うことができる操作／表示装置部２６が接続配置されている。
【００２４】
次に、前記構成からなる本実施例のワイヤレス調光操作器２０の制御動作につき、図３に示す動作プログラムのフローチャートを参照しながら説明する。
【００２５】
まず、ワイヤレス調光操作器２０の電源を投入して、ワイヤレス調光操作器２０に組み込まれている通信プログラムを起動することにより、例えばスタジオＡに設けられた無線ＬＡＮアクセスポイント３０に設定された所定の周波数チャンネルの電波強度を、無線通信部２４において測定し、最も強い電波強度の周波数チャンネルを判定する（ＳＴＥＰ−３１）。そして、このようにして判定された最も強い電波強度の周波数チャンネルを使用して、当該周波数チャンネルに対応したスタジオＡの調光操作卓１０との通信を行うことができる。
【００２６】
次いで、ワイヤレス調光操作器２０は、通信相手のスタジオＡの調光操作卓１０に対して、調光操作プログラムのＩＤコードを要求し、これを受信する（ＳＴＥＰ−３２）。そこで、ワイヤレス調光操作器２０は、ダウンロード判定／実行部２５において、受信されたＩＤコードと記憶部２３に記憶されているＩＤコードとを比較して、一致するかどうか判定する（ＳＴＥＰ−３２）。この結果、ＩＤコードが相互に一致する場合は、ワイヤレス調光操作器２０の記憶部２２に記憶されている調光操作プログラムを起動するように設定される（ＳＴＥＰ−３６）。
【００２７】
一方、前記ＩＤコードが相互に一致しない場合には、調光操作卓１０に対して調光操作プログラムを要求し、これを受信する（ＳＴＥＰ−３４）。そして、受信した調光操作プログラムを記憶装置２１の各記憶部２２、２３に格納すなわちダウンロードし（ＳＴＥＰ−３５）、このダウンロードされた調光操作プログラムを起動するように設定される（ＳＴＥＰ−３６）。
【００２８】
このようにして、本実施例のワイヤレス調光操作器２０は、所要のスタジオにおいて、使用するすることにより、無線ＬＡＮアクセスポイント３０を介して対応するスタジオの調光操作卓１０と通信可能となり、当該調光操作卓１０の調光操作プログラムと一致した調光操作プログラムを自動的に起動させて、調光操作卓１０の遠隔操作を行うことができる。
【００２９】
なお、前記ワイヤレス調光操作器２０は、その後一定時間後、あるいは特殊操作後において、周波数チャンネルの電波強度を再チェックし（ＳＴＥＰ−３７）、最も強い電波強度の周波数チャンネルが前回と相違しているかどうかを判定する（ＳＴＥＰ−３８）。この結果、前記周波数チャンネルが前回と相違していなければ、前記ＳＴＥＰ−３７に戻り、周波数チャンネルの電波強度を再チェックする。また、前記周波数チャンネルが前回と相違していれば、前記ＳＴＥＰ−３２に戻り、調光操作卓１０に対して、調光操作プログラムのＩＤコードを要求し、これを受信して、前述した動作を繰り返す（ＳＴＥＰ−３２〜ＳＴＥＰ−３７）。
【００３０】
【実施例２】
図４は、本発明に係るワイヤレス調光操作器の別の実施例のシステム構成を示す概略構成図である。なお、説明の便宜上、前記実施例１の図２に示すワイヤレス調光操作器のシステム構成と同一の構成部分については、同一の参照符号を付して、その詳細な説明は省略する。すなわち、本実施例のワイヤレス調光操作器２０′は、前記実施例１のワイヤレス調光操作器２０において、無線通信部２４に対し、前述した調光制御パターンとしての各照明器具に対する調光制御データ（調光仕込みデータ）を保存し、読み出すための保存／読み出し実行部２７と、前記調光制御データ（調光仕込みデータ）を格納する記憶部２８とを備えた構成からなり、その他の構成は前記実施例１のワイヤレス調光操作器２０と同一である。なお、前記記憶部２８には、それぞれのスタジオの調光制御データ（調光仕込みデータ）について、各データについてのユニークＩＤコード等のような特定ＩＤコードと共に格納されるように設定されている。
【００３１】
次に、前記構成からなる本実施例のワイヤレス調光操作器２０′の制御動作につき、図５および図６に示す動作プログラムのフローチャートを参照しながら説明する。
【００３２】
図５は、ワイヤレス調光操作器２０′に、調光仕込みデータを格納保存する場合の動作プログラムのフローチャートを示す。まず、無線通信モジュール２４において、操作／表示装置部２６を介して、オペレータが調光仕込みデータのダウンロード操作が選択されたことを判定すると（ＳＴＥＰ−５１）、前記保存／読み出し実行部２７を介して、調光操作卓１０から調光仕込みデータを調光操作卓１０の特定ＩＤコードと共に要求し、これらを受信する（ＳＴＥＰ−５２）。次いで、受信された調光仕込みデータについて所要のファイル名称を入力操作して（ＳＴＥＰ−５３）、当該調光仕込みデータを特定ＩＤコードと共に、記憶部２８に格納するように構成される。その後、前記操作を繰り返して調光仕込みデータの格納保存を行うことができる（ＳＴＥＰ−５１〜ＳＴＥＰ−５４）。
【００３３】
図６は、ワイヤレス調光操作器２０′に格納保存された調光仕込みデータを、調光操作卓１０に戻す場合の動作プログラムのフローチャートを示す。まず、無線通信部２４において、前記操作／表示装置部２６を介して、オペレータが調光仕込みデータのアップロード操作が選択されたことを判定すると（ＳＴＥＰ−６１）、前記記憶部２８に記憶されている調光仕込みデータのファイル名称等の一覧を表示する（ＳＴＥＰ−６２）。次いで、オペレータがアップロードしたい調光仕込みデータを選択決定すると（ＳＴＥＰ−６３）、調光操作卓１０に対し調光操作卓１０の特定ＩＤコードを要求し、これを受信する（ＳＴＥＰ−６４）。そこで、前記保存／読み出し実行部２７を介して、オペレータが選択した調光仕込みデータの特定ＩＤコードと受信した調光操作卓１０の特定ＩＤコードが一致するかどうかを判定する（ＳＴＥＰ−６５）。この結果、特定ＩＤコードが相互に一致する場合は、調光操作卓１０へオペレータが選択した調光仕込みデータが送信される（ＳＴＥＰ−６６）。一方、特定ＩＤコードが相互に一致しない場合は、前記操作／表示装置部２６を介して、アップロード不可の判定と共にエラー表示がなされ（ＳＴＥＰ−６７）、前記ＳＴＥＰ−６３に戻り、オペレータがアップロードしたい調光仕込みデータを再度選択決定して、前記操作を繰り返す（ＳＴＥＰ−６３〜ＳＴＥＰ−６５）。
【００３４】
【実施例３】
図７は、本発明に係るワイヤレス調光操作器のさらに別の実施例のシステム構成を示す概略構成図である。なお、説明の便宜上、前述した実施例１のワイヤレス調光操作器および調光操作卓と対応する構成要素については、共通の参照符号を付して説明する。すなわち、本実施例においては、複数のホール（ホールＡ、ホールＢ）に、それぞれ設けられた調光操作卓１０Ａ、１０Ｂおよび無線ＬＡＮアクセスポイント３０Ａ、３０Ｂに対して、選択的に通信を行うことができるワイヤレス調光操作器２０を示すものである。
【００３５】
なお、前記調光操作卓１０Ａ、１０Ｂには、それぞれ記憶装置１１に重複しないように割り当てられたＩＤコードを格納記憶する記憶する記憶部１３が設けられると共に、通信部としての伝送装置１４と、制御操作部としての調光制御装置１６とがそれぞれ設けられ、ワイヤレス調光操作器１０との通信を行うための無線ＬＡＮアクセスポイント３０Ａ、３０Ｂにそれぞれ接続配置されている。
【００３６】
これに対し、前記ワイヤレス調光操作器１０は、記憶装置１１に複数のホール（ホールＡ、ホールＢ）に設けられた調光操作卓１０Ａ、１０Ｂに割り当てられたＩＤコードと共に調光操作プログラム等を格納記憶する記憶部が設けられ、さらに無線通信部としての伝送装置２４と、制御操作部としての調光制御装置２６とがそれぞれ設けられている。
【００３７】
次に、前記構成からなる本実施例のワイヤレス調光操作器２０および調光操作卓１０Ａ、１０Ｂの制御動作につき、それぞれ図８および図９に示す動作プログラムのフローチャートを参照しながら説明する。なお、図８の（ａ）および（ｂ）は、それぞれワイヤレス調光操作器２０におけるデータの受信および送信の動作プログラムを示す。
【００３８】
まず、ワイヤレス調光操作器２０の受信動作については、図８の（ａ）に示すように、ワイヤレス調光操作器２０の電源を投入させて、所要の通信プログラムを起動させると、それぞれ調光操作卓１０Ａ、１０ＢからデータをＩＤコードと共に入力し（ＳＴＥＰ−８１Ｒ）、この入力されたデータをワイヤレス調光操作器２０に受信して記憶装置１１に記憶する（ＳＴＥＰ−８２Ｒ）。次いで、前記受信されたデータに付加されているＩＤコードと、調光操作卓１０Ａ、１０Ｂに割り当てられているＩＤコードとを比較して一致するかどうかを判定する（ＳＴＥＰ−８３Ｒ）。この結果、ＩＤコードが相互に一致した場合は、ワイヤレス調光操作器２０において受信したデータを処理して所望のホールの調光操作を行うことができる（ＳＴＥＰ−８４Ｒ）。一方、ＩＤコードが相互に一致しない場合は、受信したデータが破棄される（ＳＴＥＰ−８５Ｒ）。
【００３９】
また、ワイヤレス調光操作器２０の送信動作については、図８の（ｂ）に示すように、調光操作卓１０Ａ、１０Ｂへ送信するデータを出力すると共に（ＳＴＥＰ−８１Ｔ）、送信するデータに送信先の調光操作卓１０Ａまたは１０Ｂに割り当てられているＩＤコードを付加する（ＳＴＥＰ−８２Ｔ）。これにより、前記送信するデータに付加されたＩＤコードと一致する調光操作卓１０Ａまたは１０Ｂのみにデータが送信される（ＳＴＥＰ−８３Ｔ）。
【００４０】
次に、調光操作卓１０Ａ、１０Ｂの受信動作については、図９の（ａ）に示すように、まず、ワイヤレス調光操作器２０からデータをＩＤコードと共に入力し（ＳＴＥＰ−９１Ｒ）、この入力されたデータを調光操作卓１０Ａまたは１０Ｂに受信して記憶装置２１に記憶する（ＳＴＥＰ−９２Ｒ）。次いで、前記受信されたデータに付加されているＩＤコードと、調光操作卓１０Ａ、１０Ｂに割り当てられているＩＤコードとを比較して一致するかどうかを判定する（ＳＴＥＰ−９３Ｒ）。この結果、ＩＤコードが相互に一致した場合は、調光操作卓１０Ａまたは１０Ｂにおいて受信したデータを処理して所望のホールの調光操作を行うことができる（ＳＴＥＰ−９４Ｒ）。一方、ＩＤコードが相互に一致しない場合は、受信したデータが破棄される（ＳＴＥＰ−９５Ｒ）。
【００４１】
また、調光操作卓１０Ａ、１０Ｂの送信動作については、図９の（ｂ）に示すように、ワイヤレス調光操作器２０へ送信するデータを出力すると共に（ＳＴＥＰ−９１Ｔ）、送信するデータに調光操作卓１０Ａまたは１０Ｂに割り当てられているＩＤコードを付加する（ＳＴＥＰ−９２Ｔ）。これにより、前記ＩＤコードが付加されたデータがワイヤレス調光操作器２０へ送信される（ＳＴＥＰ−９３Ｔ）。
【００４２】
従って、前述したように構成された本実施例におけるワイヤレス調光操作器２０は、手動操作によって、所望のホール等に設けられた調光操作卓と確実に通信を行うことが可能となり、遠隔操作により調光制御操作を行うことができる。
【００４３】
以上、本発明の好適な実施例について説明したが、本発明は前記実施例に限定されることなく、本発明の精神を逸脱しない範囲内において、種々の設計変更を行うことができる。
【００４４】
【発明の効果】
前述した実施例から明らかな通り、請求項１に記載の本発明に係るワイヤレス調光操作器によれば、各スタジオや劇場毎にワイヤレス調光操作器を準備する必要がなくなり、１台で複数のスタジオや劇場を操作することが可能となる。しかも、本発明に係るワイヤレス調光操作器は、スタジオや劇場をそれぞれ自動的に判定して、自動的に調光操作プログラムを切り替えることができるので、調光操作プログラムの切り替え作業の手間が省けると共に、切り替え操作ミスや切り替え操作忘れを未然に防止し、誤って他のスタジオや劇場の調光制御操作をしてしまうことを防止することができる。
【００４５】
また、請求項２に記載の本発明に係るワイヤレス調光操作器によれば、調光操作の対象は、ワイヤレス調光操作器が持ち込まれているスタジオや劇場のみであるから、ワイヤレス調光操作器には調光操作の対象となるスタジオや劇場用の調光操作プログラム１本のみを記憶しておけばよいので、記憶装置の容量を小さく設定することができると共に、ワイヤレス調光操作器の装置構成それ自体の製造コストを低減することができる。また、スタジオや劇場を新設ないし改修を行った場合に、調光操作プログラムが変更されても、ワイヤレス調光操作器自体に修正を行うことなく、対応することができるので、作業コストを低減することができる等の利点を有する。
【００４６】
さらに、請求項３に記載の本発明に係るワイヤレス調光操作器によれば、ワイヤレス調光操作器に調光操作卓が備えていた外部記憶装置の機能を具備させることができ、オペレータはスタジオや劇場のフロアから移動することなく、調光操作卓における調光仕込みデータを退避させることができる。これにより、調光操作卓においては、リムーバルメディアを読み書きするためのディスクドライブ、カードスロット等を省略することができ、調光操作宅の装置構成を小型化することができる。また、本発明に係るワイヤレス調光操作器を１台使用するだけで、複数のスタジオや劇場の調光仕込みデータについて、それぞれＩＤコードを一致させて適正かつ確実に保存することができるばかりでなく、リムーバルメディアの保管スペースを省略することができる等の利点を有する。
【００４７】
さらにまた、請求項４に記載の本発明に係るワイヤレス調光操作器によれば、１台のワイヤレス調光操作器で複数のスタジオや劇場等で使用した場合において、隣接したスタジオや劇場等で複数の調光操作卓と無線通信が可能な状態であっても、所望の調光操作卓のみとの通信が可能となり、他のスタジオや劇場等の調光制御操作をしてしまうことはなく、所望のスタジオや劇場等の調光制御操作を適正かつ確実に調光制御操作することができる。
【００４８】
そして、請求項５に記載の本発明に係る調光システムによれば、前述した種々の特徴を有するワイヤレス調光操作器を適用することにより、調光制御操作がより簡便にかつより効率的となる調光システムを構築することができる。
【図面の簡単な説明】
【図１】本発明に係るワイヤレス調光操作器を使用する調光制御操作卓のシステム構成並びに調光システムを示す概略構成図である。
【図２】図１に示すワイヤレス調光操作器のシステム構成を示す概略構成図である。
【図３】図２に示すワイヤレス調光操作器における調光操作を行うための動作プログラムを示すフローチャート図である。
【図４】本発明に係るワイヤレス調光操作器の別の実施例のシステム構成を示す概略構成図である。
【図５】図４に示すワイヤレス調光操作器におけるデータの格納保存を行うための動作プログラムを示すフローチャート図である。
【図６】図４に示すワイヤレス調光操作器における調光操作卓へのデータ送信を行うための動作プログラムを示すフローチャート図である。
【図７】本発明に係るワイヤレス調光操作器のさらに別の実施例のシステム構成を示す概略構成図である。
【図８】図７に示すワイヤレス調光操作器におけるデータの送信または受信を行うための動作プログラムを示すものであって、（ａ）は受信を行う動作プログラムのフローチャート図、（ｂ）は送信を行う動作プログラムのフローチャート図である。
【図９】図７に示す調光操作卓におけるデータの送信または受信を行うための動作プログラムを示すものであって、（ａ）は受信を行う動作プログラムのフローチャート図、（ｂ）は送信を行う動作プログラムのフローチャート図である。
【符号の説明】
１０、１０Ａ、１０Ｂ  調光操作卓
１１  記憶装置
１２  記憶部（調光操作プログラムの格納）
１３  記憶部（ＩＤコードの格納）
１４  通信部（伝送装置）
１５  制御部
１６  操作／表示装置部（調光制御装置）
１７  記憶部（調光制御パターンの格納）
１８  外部記憶装置
２０、２０′  ワイヤレス調光操作器
２１  記憶装置
２２  記憶部（調光操作プログラムの格納）
２３  記憶部（ＩＤコードの格納）
２４  無線通信部（伝送装置）
２５  ダウンロード判定／実行部
２６  操作／表示装置部（調光制御装置）
２７  保存／読み出し実行部
２８  記憶部（調光仕込みデータの格納）
３０、３０Ａ、３０Ｂ  アクセスポイント（無線ＬＡＮ）
４０  調光制御盤
４２  照明電源
４３ａ、４３ｂ、４３ｃ  照明器具
【図１】
2004206993.tif 000003
【図２】
2004206993.tif 000004
【図３】
2004206993.tif 000005
【図４】
2004206993.tif 000006
【図５】
2004206993.tif 000007
【図６】
2004206993.tif 000008
【図７】
2004206993.tif 000009
【図８】
2004206993.tif 000010
【図９】
2004206993.tif 000011